【手続補正書】
【提出日】平成27年9月12日(2015.9.12)
【手続補正１】
【補正対象書類名】特許請求の範囲
【補正対象項目名】全文
【補正方法】変更
【補正の内容】
【特許請求の範囲】
【請求項１】
第１の画素及び第２の画素をそれぞれ複数配置した第１の撮像素子領域と、
前記第１の画素及び第３の画素をそれぞれ複数配置した第２の撮像素子領域と、を有し、
前記第１の画素は、光学系の射出瞳の第１の瞳領域からの光束を受光して光電変換し、
前記第２の画素は、前記第１の瞳領域の一部を含み、前記射出瞳の重心から第１の方向へ偏心した第２の瞳領域からの光束を受光して光電変換し、
前記第３の画素は、前記第１の瞳領域の一部を含み、前記射出瞳の重心から前記第１の方向とは反対の第２の方向へ偏心した第３の瞳領域からの光束を受光して光電変換し、
前記第１の撮像素子領域は、前記第２の画素を前記第３の画素よりも多く有し、
前記第２の撮像素子領域は、前記第３の画素を前記第２の画素よりも多く有することを特徴とする撮像素子。
【請求項２】
前記第１の撮像素子領域は、前記第１の画素、前記第２の画素及び前記第３の画素のうち、前記第１の画素及び前記第２の画素のみを有し、
前記第２の撮像素子領域は、前記第１の画素、前記第２の画素及び前記第３の画素のうち、前記第１の画素及び前記第３の画素のみを有することを特徴とする請求項１に記載の撮像素子。
【請求項３】
前記第２の瞳領域は、前記第１の瞳領域の一部をなし、前記射出瞳の中心から前記第１の方向へ偏心し、
前記第３の瞳領域は、前記第１の瞳領域の一部をなし、前記射出瞳の中心から前記第２の方向へ偏心し、
前記第１の撮像素子領域と前記第２の撮像素子領域は、当該撮像素子の中心を通り前記第１及び第２の方向に対応する当該撮像素子上の方向に垂直な線分を境界線とし、該境界線を挟んで配置されていることを特徴とする請求項１または２に記載の撮像素子。
【請求項４】
前記第２の瞳領域の偏心方向である前記第１の方向に対応する当該撮像素子上の方向と、前記第１の撮像素子領域のずれ方向が逆であることを特徴とする請求項１から３の何れか１項に記載の撮像素子。
【請求項５】
前記光学系の光軸が通る当該撮像素子の位置を含む中心領域に、前記第２の画素及び第３の画素をそれぞれ複数配置した第３の撮像素子領域が配置されていることを特徴とする請求項１から４の何れか１項に記載の撮像素子。
【請求項６】
前記第２の画素は、マイクロレンズ、及び画素中心軸に対し偏心して配置された遮光部材を有し、前記第３の画素は、マイクロレンズ、及び画素中心軸に対し、前記第２の画素の遮光部材とは反対の方向に偏心して配置された遮光部材を有することを特徴とする請求項１から５の何れか１項に記載の撮像素子。
【請求項７】
前記第２の画素及び前記第３の画素は、それぞれ、光電変換部へ前記光束を導く導波路と、光束伝播方向に関して前記光電変換部の前方の前記導波路内に配置された遮光部材を有し、前記導波路及び／または前記遮光部材は、画素中心軸に対して非対称な形状であることを特徴とする請求項１から５の何れか１項に記載の撮像素子。
【請求項８】
前記第１の画素及び第４の画素をそれぞれ複数配置した第４の撮像素子領域と、
前記第１の画素及び第５の画素をそれぞれ複数配置した第５の撮像素子領域と、を有し、
前記第４の画素は、前記第１の瞳領域の一部を含み、前記射出瞳の重心から第３の方向へ偏心した第４の瞳領域からの光束を受光して光電変換し、
前記第５の画素は、前記第１の瞳領域の一部を含み、前記射出瞳の重心から前記第３の方向とは反対の第４の方向へ偏心した第５の瞳領域からの光束を受光して光電変換し、
前記第４の撮像領域は、前記第４の画素を前記第５の画素よりも多く有し、
前記第５の撮像領域は、前記第５の画素を前記第４の画素よりも多く有することを特徴とする請求項１から７の何れか１項に記載の撮像素子。
【請求項９】
前記第４の撮像領域は、前記第１の画素、前記第４の画素及び前記第５の画素のうち、前記第１の画素及び前記第４の画素のみを有し、
前記第５の撮像領域は、前記第１の画素、前記第４の画素及び前記第５の画素のうち、前記第１の画素及び前記第５の画素のみを有することを特徴とする請求項８に記載の撮像素子。
【請求項１０】
請求項１から９の何れか１項に記載の撮像素子と、
被写体の像を前記撮像素子上に結像する光学系と、
を有する測距装置であって、
前記第１の画素の出力信号と前記第２の画素の出力信号と前記第３の画素の出力信号、または前記第１の画素の出力信号と前記第４の画素の出力信号と前記第５の画素の出力信号を用いて被写体の距離情報を取得することを特徴とする測距装置。
【請求項１１】
前記第１の撮像素子領域では、前記第２の画素の出力信号と、前記第１の画素の出力信号と前記第２の画素の出力信号を用いて演算された信号を用い、前記第２の撮像素子領域では、前記第３の画素の出力信号と、前記第１の画素の出力信号と前記第３の画素の出力信号を用いて演算された信号を用いることを特徴とする請求項１０に記載の測距装置。
【請求項１２】
前記第４の撮像素子領域では、前記第４の画素の出力信号と、前記第１の画素の出力信号と前記第４の画素の出力信号を用いて演算された信号を用い、前記第５の撮像素子領域では、前記第５の画素の出力信号と、前記第１の画素の出力信号と前記第５の画素の出力信号を用いて演算された信号を用いることを特徴とする請求項１０または１１に記載の測距装置。
【請求項１３】
請求項１０から１２の何れか１項に記載の測距装置を有することを特徴とする撮像装置。
【請求項１４】
請求項１から９の何れか１項に記載の撮像素子と、被写体の像を前記撮像素子上に結像する光学系と、を有する測距装置における測距方法であって、
前記第１の撮像素子領域では、複数の前記第２の画素の出力信号と、注目する前記第２の画素の付近の前記第１の画素から得られた出力信号から該第２の画素の出力信号を差し引いた信号を用いて測距像信号を取得すると共に、前記第２の撮像素子領域では、複数の前記第３の画素の出力信号と、注目する前記第３の画素の付近の前記第１の画素から得られた出力信号から該第３の画素の出力信号を差し引いた信号を用いて測距像信号を取得して、測距演算を行うか、
或いは、前記第４の撮像素子領域では、複数の前記第４の画素の出力信号と、注目する前記第４の画素の付近の前記第１の画素から得られた出力信号から該第４の画素の出力信号を差し引いた信号を用いて測距像信号を取得すると共に、前記第５の撮像素子領域では、複数の前記第５の画素の出力信号と、注目する前記第５の画素の付近の前記第１の画素から得られた出力信号から該第５の画素の出力信号を差し引いた信号を用いて測距像信号を取得して、測距演算を行うことを特徴とする測距方法。
【手続補正２】
【補正対象書類名】明細書
【補正対象項目名】０００５
【補正方法】変更
【補正の内容】
【０００５】
上記課題に鑑み、本発明の撮像素子は、第１の画素及び第２の画素をそれぞれ複数配置した第１の撮像素子領域と、第１の画素及び第３の画素をそれぞれ複数配置した第２の撮像素子領域と、を有する。前記第１の画素は、光学系の射出瞳の第１の瞳領域からの光束を受光して光電変換し、前記第２の画素は、前記第１の瞳領域の一部を含み、前記射出瞳の重心から第１の方向へ偏心した第２の瞳領域からの光束を受光して光電変換し、前記第３の画素は、前記第１の瞳領域の一部を含み、前記射出瞳の重心から前記第１の方向とは反対の第２の方向へ偏心した第３の瞳領域からの光束を受光して光電変換し、前記第１の撮像素子領域は、前記第２の画素を前記第３の画素よりも多く有し、前記第２の撮像素子領域は、前記第３の画素を前記第２の画素よりも多く有する。
また、上記課題に鑑み、本発明の撮像素子は、第１の画素及び第４の画素をそれぞれ複数配置した第４の撮像素子領域と、第１の画素及び第５の画素をそれぞれ複数配置した第５の撮像素子領域と、を有する。前記第４の画素は、前記第１の瞳領域の一部を含み、前記射出瞳の重心から第３の方向へ偏心した第４の瞳領域からの光束を受光して光電変換し、前記第５の画素は、前記第１の瞳領域の一部を含み、前記射出瞳の重心から前記第３の方向とは反対の第４の方向へ偏心した第５の瞳領域からの光束を受光して光電変換し、前記第４の撮像領域は、前記第４の画素を前記第５の画素よりも多く有し、前記第５の撮像領域は、前記第５の画素を前記第４の画素よりも多く有する。
【手続補正３】
【補正対象書類名】図面
【補正対象項目名】図１
【補正方法】変更
【補正の内容】
【図１】
2014056085.tif 000001